(57)【要約】      （修正有）【課題】抗菌剤を必要なときに必要な量だけ溶出させ、常に濃度を一定に保ち、長期間安定して効率的に静菌効果を持続させることができる空気調和機のドレン水静菌構造を提供する。【解決手段】空気調和機１のドレンパン８部分において、抗菌部材５０をドレン溝部８２の最小水位Ｌ1および最大水位Ｌ2に応じた長さよりも長い所定の長さＬ3に形成し、下端５０ａ側をドレン水の最小水位Ｌ1に対応して浸漬できる位置に位置させる一方、上端５０ｃ側を最大水位Ｌ2よりも所定寸法Ｈ高い位置に位置させた状態で設置して構成した。  この結果、水位に応じた消耗量を考慮して、上記最大水位Ｌ2よりも上方に延びる所定の寸法Ｈを適切に設定して置くと、所望の期間内の連続した一定の濃度での使用が可能になる。【選択図】        図３
2006170478.tif 000002
【特許請求の範囲】
【請求項１】
空気調和機（１）のドレンパン（８）部分において、抗菌部材（５０）をドレン水の最小水位Ｌ1および最大水位Ｌ2に応じた長さよりも長い所定の長さＬ3に形成し、その下端（５０ａ）側をドレン水の最小水位Ｌ1に対応して浸漬できる位置に位置させる一方、上端（５０ｃ）側を最大水位Ｌ2よりも所定寸法Ｈ高い位置に位置させた立設状態で設置したことを特徴とする空気調和機のドレン水静菌構造。
【請求項２】
抗菌部材（５０）は、多孔壁の容器（５０Ａ）と該多孔壁の容器（５０Ａ）内に収容された粒状又はペレット状の抗菌剤（５０Ｂ），（５０Ｂ）・・・よりなることを特徴とする請求項１記載の空気調和機のドレン水静菌構造。
【請求項３】
抗菌部材（５０）は、水溶性の抗菌剤保持材（５０Ｄ）と該保持材（５０Ｄ）中に混入された粒状又はペレット状の抗菌剤（５０Ｂ），（５０Ｂ）・・・よりなることを特徴とする請求項１記載の空気調和機のドレン水静菌構造。
【請求項４】
抗菌部材（５０）は、ドレンポンプ（２２）部分に設けられていることを特徴とする請求項２記載の空気調和機のドレン水静菌構造。
【発明の詳細な説明】
【技術分野】
【０００１】
本願発明は、空気調和機のドレン水静菌部の構造に関するものである。
【背景技術】
【０００２】
一般に空気調和機の熱交換器等の下部には、ドレン水を受け止めて外部に排出するドレンパンが設けられている。
【０００３】
一旦ドレンパン内に貯留されたドレン水は、例えば窓型や壁掛け型の空気調和機の場合には、当該ドレンパン内の傾斜溝を利用してドレン配管により外部に流し、また天井埋込型や天井吊下型の空気調和機の場合には、一般にドレンポンプ（ドレンアップキットを含む）を介して汲み上げ、ドレン配管を通して外部に排出する。
【０００４】
しかし、何れの場合にも、所定時間内はドレンパン内にドレン水が停滞する。そのため、ドレンパン内のドレン水には細菌が繁殖する。その結果、スライム生成による異臭やドレン配管詰まり等の問題を発生させる。
【０００５】
この対策として、これまで例えばドレンパンの内壁面に結晶性ポリプロピレン、無機充填剤および抗菌剤を含む抗菌剤含有樹脂組成物層を積層し、さらに同抗菌剤含有樹脂組成物層の上に、上記抗菌剤を透過させることが可能な樹脂製シートあるいはフィルムを積層して、凝縮水がこのシートあるいはフィルムに接するようにしたり（特許文献１参照）、またドレンパン底面に殺菌効果のある銅合金箔を接着したり（特許文献２参照）、ドレンパン形成部材に殺菌剤を入れる一方、さらに殺菌機能の高い紫外線ランプを設け、ドレン水中に紫外線を照射するようにしたもの（特許文献３参照）などがある。
【０００６】
しかし、これらのものは何れもドレンパン自体の構造を複雑なものとし、またスライム発生等汚染の進行によって、次第に静菌効果が低下してくる問題がある。
【０００７】
また、後者の紫外線ランプを設けるものの場合、空気調和機の形態によっては１つのランプでドレンパン全体を均一に照射することが困難であり、複数のランプを必要とするので、設置コストおよびランニングコスト共に高くなる問題がある。
【０００８】
このような事情から、一般には、例えば図２３の（ａ），（ｂ）に示すようなメッシュ構造等多孔壁構造の容器５０Ａ内に、例えば無機系抗菌剤を担持した水溶解性ガラス等の、水に溶けることによって殺菌効果のある抗菌剤が溶出する粒状又はペレット状の抗菌剤５０Ｂ，５０Ｂ・・・を充填した抗菌部材５０を、同図２３（ａ），（ｂ）に示すように横倒しの全没浸漬状態で使用しているのが実情である。このような静菌構造の場合、一定期間使用して、容器５０Ａ内の抗菌剤５０Ｂ，５０Ｂ・・・がなくなると、新たなものに取り換えれば良く、同交換により長期間に亘る使用が可能となる。
【０００９】
【特許文献１】特開平１０−７８２４０号公報（明細書第１−４頁、図１−３）
【特許文献２】特開平２−１０６６３０号公報（明細書第１−２頁、図４）
【特許文献３】特開２０００−９７４４７号公報（明細書第１−３頁、図１，２，４）
【発明の開示】
【発明が解決しようとする課題】
【００１０】
ところで、以上のような抗菌剤５０Ｂには静菌効果を発揮する必要最小限度の濃度が存在する。またこの最小濃度は、使用する抗菌剤５０Ｂの種類によって異なる。そこで通常使用条件の範囲内における最悪の条件（抗菌剤の溶出濃度が最も低くなる条件）下で、この最小濃度を確保し、かつ使用年数間の全体に亘って安定して有効な静菌効果を発揮できることを前提として、初期抗菌剤の量（浸漬量）を決定する。
【００１１】
今、この場合における抗菌剤５０Ｂ，５０Ｂ・・・の使用年数（時間）と濃度との関係を示すと図２４のようになる。すなわち、使用年数とともに抗菌剤５０Ｂ，５０Ｂ・・・は消耗し、濃度も低下する（Ａ〜Ｂ参照）。したがって、静菌効果をＮ年間持たせるとすると、抗菌剤の初期量はＮ年後に必要最低濃度を確保することができる抗菌剤量とＮ年間で消耗する抗菌剤量の和となり、多くの抗菌剤が必要になる。
【００１２】
このようにして決定した抗菌剤量を、図２３の（ａ）に示すようにドレン水中に全没浸漬して使用すると、最も抗菌剤５０Ｂ，５０Ｂ・・・の溶出量が多くなるので、最悪条件下でも、それ以外の条件下でも有効に静菌効果が発揮されるが、それ以外の条件下では抗菌剤の濃度は必要以上の高い濃度になり、抗菌剤を無駄に消費することになる。
【００１３】
また短期間の場合であれば、この最小濃度を確保する抗菌剤量であれば十分であるが、長期間（例えば数年〜十数年）に亘って静菌効果を持たせるためには、その分だけ抗菌剤の量を多くする必要がある。この場合には、上記初期濃度が上記必要最小濃度を大きく上回り、抗菌剤を無駄に消費してしまう。
【００１４】
本願発明は、このような課題を解決するためになされたもので、抗菌剤を必要なときに必要な量だけ溶出させ、常に濃度を一定に保ち、長期間に亘って安定して効率的に静菌効果を持続させ得るようにした空気調和機のドレン水静菌構造を提供することを目的とするものである。
【課題を解決するための手段】
【００１５】
本願発明は、上記の目的を達成するために、次のような課題解決手段を備えて構成されている。
【００１６】
（１）  第１の課題解決手段
この発明の第１の課題解決手段は、空気調和機１のドレンパン８部分において、抗菌部材５０をドレン水の最小水位Ｌ1および最大水位Ｌ2に応じた長さよりも長い所定の長さＬ3に形成し、その下端５０ａ側をドレン水の最小水位Ｌ1に対応して浸漬できる位置に位置させる一方、上端５０ｃ側を最大水位Ｌ2よりも所定寸法Ｈ高い位置に位置させた立設状態で設置したことを特徴としている。
【００１７】
このような構成によると、抗菌部材５０の下端５０ａ側のドレン水内へ浸漬されている抗菌剤５０Ｂ，５０Ｂ・・・が、ドレン水内に溶解、溶出して行くことにより次第に減少しても、それに応じて上記ドレン水の実際の水位よりも上方側にあって、いまだ溶解、溶出していない新しい抗菌剤５０Ｂ，５０Ｂ・・・部分が上方側から下方側に移動して、順次供給されて行く。
【００１８】
したがって、水位に応じた消耗量を考慮して、上記最大水位Ｌ2よりも上方に延びる所定の寸法Ｈを適切に設定して置くと、所望の長い期間内に亘って一定の濃度での連続した使用が可能になる。
【００１９】
しかも、同構成では、抗菌部材５０の構成単独で任意に対応することができ、ドレンパン８側の構成は従来のままで良いので、構成は簡単で、低コストで済む。
【００２０】
（２）  第２の課題解決手段
この発明の第２の課題解決手段は、上記第１の課題解決手段の構成において、抗菌部材５０は、多孔壁の容器５０Ａと該多孔壁の容器５０Ａ内に収容された粒状又はペレット状の抗菌剤５０Ｂ，５０Ｂ・・・よりなることを特徴としている。
【００２１】
このような構成によると、粒状又はペレット状の抗菌剤５０Ｂ，５０Ｂ・・・が容器５０Ａの多孔壁部分を介して外部に有効に溶解、溶出されて有効な殺菌作用を果たす。また、その後、その消耗量に応じて、溶解、溶出した下端５０ａ側部分に上方側の抗菌剤５０Ｂ，５０Ｂ・・・が重力でスムーズに下降して補給される。
【００２２】
（３）  第３の課題解決手段
この発明の第３の課題解決手段は、上記第１の課題解決手段の構成において、抗菌部材５０は、水溶性の抗菌剤保持材５０Ｄと該保持材５０Ｄ中に混入された粒状又はペレット状の抗菌剤５０Ｂ，５０Ｂ・・・よりなることを特徴としている。
【００２３】
このような構成によると、粒状又はペレット状の抗菌剤５０Ｂ，５０Ｂ・・・が、保持材５０Ｄの溶解に伴って外部に溶解、溶出されて有効な殺菌作用を果たす。また、その後、その消耗量に応じて、抗菌部材５０全体が重力でドレン水中にスムーズに沈降して行くので、常に安定した濃度の殺菌機能が維持される。
【００２４】
（４）  第４の課題解決手段
この発明の第４の課題解決手段は、上記第２の課題解決手段の構成において、抗菌部材５０は、ドレンポンプ２２部分に設けられていることを特徴としている。
【００２５】
このような構成によれば、抗菌部材５０の設置により、上記の作用効果を得ることができることはもとより、ドレンポンプ２２駆動時の微振動により、下端５０ａ側浸漬部で抗菌剤５０Ｂ，５０Ｂを消耗し、隙間の空いた空間部分に、露出部側（上方側）の新しい抗菌剤５０Ｂ，５０Ｂ・・・をスムーズに供給できるようになり、より確実な抗菌剤５０Ｂ，５０Ｂ・・・の補給が可能となる。
【００２６】
一般に上述した粒状又はペレット状の抗菌剤は、ランダムであるため、浸漬部で空いた空間に対して、露出部側から抗菌剤５０Ｂ，５０Ｂ・・・をスムーズに供給するには、若干の工夫が必要である。その場合の対策として、効果が高い。
【００２７】
また、ドレンポンプ２２部分は、本来メンテナンススペースとして設定されているので、使用年数が経過した抗菌部材５０の交換にも便利である。
【発明の効果】
【００２８】
以上の結果、本願発明によれば、抗菌剤の無駄な消耗を減らし、最大限まで有効に寿命を長く延ばすことができる。
【００２９】
また、常に有効な一定の殺菌濃度で抗菌剤を作用させることができるので、その間安定した静菌効果を維持させることができる。
【発明を実施するための最良の形態】
【００３０】
（最良の実施の形態１）
以下、本願発明の最良の実施の形態１に係る空気調和機のドレン水の静菌構造について説明する。
【００３１】
（適用対象である空気調和機の一例）
先ず、本願発明が適用される空気調和機の構造の一例を、図１〜図２に示す。
【００３２】
この空気調和機は、同図１〜図２に示すように、天井１４に形成された開口部７の上方に空気調和機本体１を配置し、該空気調和機本体１の下面部に対して下方側から上記開口部７を覆う化粧パネル２を取り付けて構成されており、上記空気調和機本体１の略六角形のカセット型の本体ケーシング３内には、略環状の熱交換器４内側と、該熱交換器４の中心部にあって吸込側を下向きとし、かつ空気吹出側を上記熱交換器４の側面方向としたファン（遠心羽根車）５およびファンモータ９と、上記ファン５の吸込側に配置されたベルマウス６（空気吸込口６ａ）が配設されている。
【００３３】
この場合、ファン５は、例えば上方側のハブ５ａと下方側シュラウド５ｃとの間に多数枚のブレード５ｂ，５ｂ・・・を備えた遠心ファンにより構成されている。そして、同ファン５は、ハブ５ａの中心軸部分を、上記ファンモータ９のモータ軸９ａに固定して水平回転可能に支持されている。また、ファンモータ９は、そのファンモータ取付ブラケット９ｂ部分をファンモータ取付部材１１，１１・・・を介して、天板３２に取り付けることにより、天板３２に支持されている。
【００３４】
なお、符号８は上記熱交換器４の形状に対応して、その下方に配置されたドレンパン、１０は上記熱交換器４の外周側に形成された空気吹出通路、１０ａは同空気吹出通路下流の空気吹出口である。
【００３５】
上記カセット型の本体ケーシング３は、上述のように略六角形形状とされており、断熱材からなる側壁３ａと、該側壁３ａの上部を覆う上述の天板３２とからなっている。
【００３６】
上記熱交換器４は、平行な２列の伝熱管４２，４２、４２，４２・・・とそれらがクロス方向に嵌挿された多数のプレートフィン４１，４１、４１，４１・・・よりなるクロスフィンコイル型のものよりなり、その両開放端側には各々管板１１，１１が設けられ、これら各管板１１，１１間は、所定の仕切り板１２により連結されている。
【００３７】
上記本体ケーシング３の天板３２、上記管板１１，１１、上記仕切り板１２および上記ベルマウス６の下面に取り付けられるスイッチボックス１３は、共に板金製品により構成されている。そして、上記天板３２と上記スイッチボックス１３は、例えば上記仕切り板１２の上下両端部に対してビス止めされて固定されるようになっている。
【００３８】
一方、上記ベルマウス６一側には、上記スイッチボックス１３を収納する凹部１４が形成されており、該凹部１４内に、上記スイッチボックス１３が嵌合されるようになっている。
【００３９】
また、上記仕切り板１２の下端には、その両端部に位置して上記管板１１，１１の下端への結合部となる取付片１９，１９が一体に突設されている。上記取付片１９は、上記管板１１に対してビスにより下方から固着されている。
【００４０】
また、符号２１は室外へのドレンホース接続口、２２はドレンポンプ、２３はフロートスイッチ、２４はドレンポンプ２２が配置されるドレンポンプ収容部、１３ａはドレンポンプ収容部を仕切る仕切り板、２６は上記スイッチボックス１３の蓋カバーである。
【００４１】
（ドレンパンおよび抗菌部材の設置構造）
ところで、上記ドレンパン８部分は、例えば図３のように構成されている。
【００４２】
すなわち、該ドレンパン８は、全体として所定の断熱材により形成され、図３に示すように、外周側の側壁８ａと内周側の側壁８ｂとの間に、熱交換器４のプレートフィン４１，４１、４１，４１・・・が載置される第１の溝部８１と、該第１の溝部８１よりも深さが深いドレン水排出用の第２の溝部８２との２つの溝部が設けられている。
【００４３】
そして、上記第２の溝部８２部分には、上記第１の溝部８１および第２の溝部８２内に貯留（流出状態も含む）されたドレン水に対して抗菌剤５０Ｂを作用させて、ドレン水の静菌を行う抗菌部材５０が上下方向に長く延びた立設状態で設置されている。
【００４４】
この抗菌部材５０は、例えば図４〜図６に詳細に示すように、所定の長さの円筒体構造をなす多孔壁の容器本体５０Ａと、該容器本体５０Ａの内部に略充満する状態で多数収納された粒状又はペレット状の抗菌剤５０Ｂ，５０Ｂ・・・とから構成され、その下端５０ａ側が最小水位Ｌ1時のドレン水中に浸漬されるように、上記第２の溝部８２の底部上に支持されている一方、上下方向の長さＬ3は、図３のように、上記第２の溝部８２の底部から立設状態で設置した時に、その上端部５０Ｃ側が、上記ドレンパン８内溝部全体の予測される最大水位Ｌ2位置よりも所定寸法Ｈ以上上方側に露出する長さに形成されている。
【００４５】
そして、上記粒状又はペレット状の抗菌剤５０Ｂ，５０Ｂ・・・は、水に溶解する特性を持っており、上記ドレンパン８の第１，第２の溝部８１，８２内のドレン水の量（浸漬量）に応じて、溶解し、容器本体５０Ａの壁部の穴より外部に溶出してゆき、ドレン水中の細菌を殺菌する。
【００４６】
このような静菌作用を実現する場合、前述のごとく、その抗菌剤５０Ｂには、有効な静菌効果を発揮させるに必要な最小濃度が存在する。この最小濃度は、使用する抗菌剤５０Ｂの種類によって異なる。そこで、通常、図２４に示すように、使用条件の範囲内の最悪条件（抗菌剤の溶出濃度が最も低くなる条件）下でこの最小濃度を確保し、なおかつ使用年数（Ｎ年）間で安定して有効な静菌効果を発揮できることを前提に、初期抗菌剤量（浸漬量）を決定する。
【００４７】
このようにして決定した初期抗菌剤量を、従来（図２３）のようにドレン水中に全没状態で浸漬して使用すると、最悪条件の下でも、それ以外の条件の下でも有効に静菌効果は発揮されるが、それ以外の条件下では抗菌剤の濃度が必要以上に高くなるため抗菌剤を無駄に消費することになる。
【００４８】
また短期間の場合であれば、この最小濃度を確保するに十分な抗菌剤の量であれば良いが、長期間（例えば数年〜十数年間）に亘って有効な静菌効果を持たせるためには、その分だけ抗菌剤の量を多くする必要がある。このときには、初期の濃度が必要最小濃度を大きく上回り、抗菌剤を無駄に消費することになる。
【００４９】
ところが、本実施の形態の構成では、上述のように空気調和機内のドレンパン８部分において、上記抗菌部材５０を所定の長さＬ3に形成し、その下端５０ａ側をドレン水の最小水位Ｌ1に対応して浸漬できる第２の溝部８２の底部位置に位置させる一方、上端５０ｃ側を第１，第２の溝部８１，８２を覆うドレン水の最大水位Ｌ2よりも所定寸法Ｈ高い位置に位置させた上下方向に長い立設状態で設置している。
【００５０】
このような構成によると、例えば図７（ａ）の初期状態にある抗菌部材５０の下端５０ａ側のドレン水中に浸漬している抗菌剤５０Ｂ，５０Ｂ・・・が、ドレン水内に溶解、溶出して行くことにより次第に減少しても、それに応じて図７の（ｂ）のように上記ドレン水の実際の水位よりも上方側にあって、全く溶解、溶出していない新しい抗菌剤５０Ｂ，５０Ｂ・・・部分が上方側から下方側に次第に下降して順次補給されて行く。
【００５１】
したがって、水位に応じた消耗量を考慮して、上記最大水位Ｌ2よりも上方に延びる所定の寸法Ｈを使用年数に応じて適切に設定して置くと、図７の（ｂ）のごとく、最上部の抗菌剤５０Ｂが消耗されてしまうまで、所望の長い期間内の連続した使用が可能になる。
【００５２】
しかも、同構成では、抗菌部材５０のみの構成単独で任意に対応することができ、ドレンパン８側の構成は従来のままで良いので、構成は簡単で、低コストで済む。
【００５３】
特に本実施の形態の構成では、上記抗菌部材５０は、図４〜図６に示すように、多孔壁の容器本体５０Ａと該多孔壁の容器本体５０Ａ内に収容された粒状又はペレット状の抗菌剤５０Ｂ，５０Ｂ・・・よりなっている。
【００５４】
したがって、粒状又はペレット状の抗菌剤５０Ｂ，５０Ｂ・・・が容器本体５０Ａの多孔壁の多数の穴部分を介して外部に溶解、溶出され、また溶解、溶出した下端５０ａ側部分には上方側の新しい抗菌剤５０Ｂ，５０Ｂ・・・が重力でスムーズに下降して補給される。
【００５５】
これらの結果、本実施の形態の構成によれば、従来の全没浸漬の場合と異なり、抗菌剤５０の無駄な消耗を減らし、一定の安定した濃度で最大限まで有効に寿命を長く延ばすことができる。
【００５６】
すなわち、同構成では、抗菌剤５０Ｂ，５０Ｂ・・・が必要なときに必要な量だけ溶出され、常に濃度を一定に保ち、長期間安定して効率的に静菌効果を持続させることができる。
【００５７】
今、以上のような設置状態における抗菌剤５０Ｂ，５０Ｂ・・・の使用年数（時間）Ｎと濃度との関係を示すと図８のようになる。すなわち、この場合にも使用年数とともに抗菌剤５０Ｂ，５０Ｂ・・・は消耗するが、従来（図２４）と異なり、浸漬量が一定であるので、濃度は変わらない。したがって、例えば静菌効果をＮ年間持たせるとすると、必要な抗菌剤の初期量は、Ｎ年間必要最低濃度を確保することができる抗菌剤量で足り、同じＮ年間で消耗される抗菌剤の量は、従来よりも相当に減少する。
【００５８】
（変形例１）
次に図９および図１０は、上述した抗菌部材５０の形状を、円筒体形状のものから扁平な筒体形状のものに変更したことを特徴とするものである。その他の構成は、上記実施の形態のものと全く同一である。
【００５９】
このような構成によっても、上記実施の形態のものと全く同一の作用効果を得ることができる。
【００６０】
また、このような構成によると、ドレンパン８内の第２の溝部８２の幅が狭い場合にも、容易に設置することができる。
【００６１】
さらにこのような構成の場合、容器本体５０Ａを例えば可撓性のあるメッシュ部材（合成樹脂製）により構成するのに適している。
【００６２】
なお、容器本体５０Ａをメッシュ部材により構成した場合、例えば図１１に示すように、折り返し構造として一側および上下両側を接合するか又は縫い合わせることにより、扁平な袋体構造を実現するようにしてもよい。
【００６３】
（変形例２）
次に図１２〜図１３は、上述した抗菌部材５０を、多孔壁構造の容器本体５０Ａ内に粒状又はペレット状の抗菌剤５０Ｂ，５０Ｂ・・・を収納するのではなく、例えば水溶性のある合成樹脂材５０Ｄ内に粒状又はペレット状の抗菌剤５０Ｂ，５０Ｂ・・・を均一に練り込んで、同様の長さ、同様の直径の円柱体構造としたことを特徴とするものである。
【００６４】
このような構成の場合にも、下端側の合成樹脂材５０Ｄおよび抗菌剤５０Ｂ，５０Ｂ・・・が溶解するに連れて、その長さが短かくなり、次第に全体が下降して行くので、何らかの保持手段で上方から下方にスライド可能に保持して置きさえすれば、上述の場合と略同様の一定の濃度での長期に亘る安定した抗菌作用の持続が可能となる。
【００６５】
（最良の実施の形態２）
次に図１５および図１６は、本願発明の最良の実施の形態２に係る空気調和機のドレン水静菌構造を示している。
【００６６】
この実施の形態では、上述の抗菌部材５０を、例えば熱交換器４のプレートフィン４１，４１間の隙間に挟み込んで固定することにより、上述の最良の実施の形態１の場合と同様の状態でドレンパン８の第２の溝部８２内に設置したことを特徴としている。
【００６７】
その他の構成は、全て上述の最良の実施の形態１のものと同一である。
【００６８】
このような構成によっても、上記最良の実施の形態１の場合と全く同様の作用効果を得ることができる。
【００６９】
また、この場合、特別な取付部材や取り付け構造を必要としないので、低コストである。
【００７０】
（最良の実施の形態３）
次に図１７および図１８は、本願発明の最良の実施の形態３に係る空気調和機のドレン水静菌構造を示している。
【００７１】
この実施の形態では、上述の最良の実施の形態１における抗菌部材５０を、例えば熱交換器４のプレートフィン４１，４１・・・手前側の伝熱管４２に対して、係合部材５２を介して固定することにより、上述の最良の実施の形態１の場合と同様の状態でドレンパン８の第２の溝部８２内に設置したことを特徴としている。
【００７２】
その他の構成は、全て上述の最良の実施の形態１のものと同一である。
【００７３】
このような構成によっても、上記最良の実施の形態１の場合と全く同様の作用効果を得ることができる。
【００７４】
この場合、上記係合部材５２は、例えば図１７、図１８に示すように、円筒体構造の抗菌部材５０の容器本体（図６の５０Ａ部分）を内側に嵌合してバインディングするＣ字状のリング部５２ａと、その先端側の２本の各々Ｕ状溝を有するアーム状の係合片５２ｂ，５２ｂとからなっており、リング部５２ａに抗菌部材５０の上端部５０ｃ側を嵌合保持した後に、２本の係合片５２ｂ，５２ｂのＵ状溝部分を、所定のプレートフィン４１両側の伝熱管４２部分に係合させるだけで、抗菌部材５０を簡単に図１７のように支持することができる。
【００７５】
このような構成によれば、上述した最良の実施の形態２の場合に比べて、より確実な支持を可能とすることができる。
【００７６】
（最良の実施の形態４）
次に図１９および図２０は、本願発明の最良の実施の形態４に係る空気調和機のドレン水静菌構造を示している。
【００７７】
上記最良の実施の形態２，３の構成では、上述の抗菌部材５０を、熱交換器４のプレートフィン４１，４１・・・部分に接して設置するので、どうしてもプレートフィン４１，４１間の通風量の低下を招く。
【００７８】
そこで、この実施の形態では、例えば図１９および図２０に示すように、係合部材５１を、円筒体構造の抗菌部材５０の上端５０ｃ側を嵌合保持する円環状のリング部５１ｃと、該リング部５１ｃの背面に連結され、係止片５１ａを介してドレンパン８の側壁８ａに係合される側面逆Ｊの字状のフック部５１ｂとから構成し、同フック構造の係合部材５１により、上記抗菌部材５０をドレンパン８の外周側の側壁８ａに近接させて設置することによって、プレートフィン４１，４１間の通風量の低下を防止したことを特徴とするものである。
【００７９】
また、このような構成によると、側壁８ａに対してフック部５１ｂの係合片５１ａを係合させるだけでよいので、抗菌部材５０の設置、交換も容易となる。
【００８０】
（最良の実施の形態５）
次に図２１および図２２は、本願発明の最良の実施の形態５に係る空気調和機のドレン水静菌構造を示している。
【００８１】
この実施の形態では、上述の抗菌部材５０を、例えば適度な振動（微振動）を受けやすく、しかも一般的なメンテナンススペースとして設定されているドレンポンプ２２部分に設置したことを特徴としている。
【００８２】
このドレンポンプ設置部は、例えば図２２からも明らかなように、設置された熱交換器４の外周側に所定の距離を置いて設けられており、同部分では、例えば図２１に示すように熱交換器４下部のドレンパン８の第２の溝部８２部分も所定距離半径方向外方に幅広く形成されており、同溝部８２の底部にドレンポンプ２２の吸水口２２ａが吸水可能に臨ましめられている。
【００８３】
また、ドレンポンプ２２のドレン水排出口２２ｂにはドレンホース２０の一端が嵌合されている。
【００８４】
この実施の形態の場合、該ドレンポンプ２２の本体側ポンプケーシングの一側部には、所定の間隔を保って、抗菌部材５０を挟着保持するための２本の係合片２２ｃ，２２ｃが一体成形されており、それらの間に上述した円筒体構造の抗菌部材５０の上端部側が、ドレンパン８内の最大水位Ｌ2よりも必要な長さ（Ｈ）上方に露出する状態で係合されて保持されている。
【００８５】
このような構成によれば、抗菌部材５０の設置により、上記各最良の実施の形態のものと同様の作用効果を得ることができることはもとより、ドレンポンプ２２駆動時の微振動により下端５０ａ側浸漬部で消耗し、隙間の空いた空間に、露出部側（上方側）の新しい抗菌剤５０Ｂ，５０Ｂ・・・をスムーズに供給できるようになり、より確実な抗菌剤５０Ｂ，５０Ｂ・・・の補給が可能となる。
【００８６】
一般に上述した粒状又はペレット状の抗菌剤は、ランダムであるため、浸漬部で空いた空間に対して、露出部側から抗菌剤５０Ｂ，５０Ｂ・・・をスムーズに供給するには、若干の工夫が必要である。
【００８７】
その場合の対策として、効果が高い。
【００８８】
また、ドレンポンプ２２部分は、本来メンテナンススペースとして設定されているので、使用年数が経過した抗菌部材５０の交換にも便利である。
【００８９】
（その他の最良の実施の形態）
（ａ）  適用される空気調和機について
以上の説明では、一例として天井埋込型の空気調和機を対象としたが、本願発明の静菌構造は、その他のタイプの空気調和機、例えば天井吊下型空気調和機、壁掛け型空気調和機、窓型空気調和機等の各種空気調和機におけるドレン水の静菌に有効である。
【００９０】
また、ドレンパン部分にドレンポンプを有するものはもちろん、ドレンポンプを有しないものでもよい。
【００９１】
さらに、ドレンパン、ドレンポンプに関しては、例えばドレンパン、ドレンポンプ、水位制御機構がキットになったドレンアップキットを使用したものでもかまわない。
【００９２】
同キットは、室内機本体とは別置で独立（電気系統は連動している場合もある）して使用され、ドレン水が流入すれば単独でドレン排出が可能である。製品に搭載しているドレンポンプでは揚程が不足するような場合は、このキットを別置で使用する。この場合でも、本願発明の内容は有効である。
【００９３】
（ｂ）  抗菌剤について
以上の各実施の形態において使用する抗菌剤としては、有機系抗菌剤、無機系抗菌剤あるいはそれらの混合物の何れかを任意に選択して使用することができる。そして、有機系抗菌剤としては、例えばフェノール類、ハロアルキル類、ヨード類、ベンツイミダゾール類、チオカーバメート類、異種環式窒素化合物、キノン類、イソチアゾリン類、第４級アンモニウム塩類、シアネート類、アニリド類の他、トリクロロカルバニド、ポリヘキサメチレンバイグアニドハイドロクロリド、オクタデシルジメチル−３−トリメトキシシリルプロピルアンモニウムなどを主成分とするものを挙げることができる。
【００９４】
また、無機系抗菌剤としては、例えば銀、銅、亜鉛、錫などの無機化合物を主体とする無機系抗菌剤や、これらの抗菌剤を炭酸カルシウム、ゼオライト、カオリンクレー、珪藻土、タルク、ベントナイト、セラミックス、活性炭、アパタイトなどに担持させた無機系抗菌剤を挙げることができる。
【００９５】
セラミックス、活性炭、アパタイトなどに担持させた無機系抗菌剤は、抗菌性が高く、非揮発性であり、樹脂と混練し易いなどのメリットがある。したがって、上述の変形例２（図１２〜図１４）のような抗菌部材５０を実施するのに適している。
【００９６】
また、そのような抗菌剤含有樹脂組成物は、本願発明の目的を逸脱しない範囲で、必要に応じ、例えば消臭剤、着香剤などの添加剤を任意に添加配合することによって、より製品効果の高いものとすることができる。
【００９７】
また、上述の水に溶解する特性を持った粒状又はペレット状の抗菌剤５０Ｂ，５０Ｂ・・・として、例えば上記のような無機系抗菌剤を担持した水溶解性ガラス等のように、水に溶けることによって殺菌効果のある抗菌剤が徐々に溶出する粒状又はペレット構造の抗菌剤の採用も可能である。
【図面の簡単な説明】
【００９８】
【図１】本願発明のドレン水静菌構造が適用される各最良の実施の形態に共通な空気調和機の構造を示す断面図である。
【図２】同空気調和機の本体ケーシングおよびその内側部分の構成を示す下面図である。
【図３】本願発明の最良の実施の形態１に係る空気調和機のドレン水静菌構造を示すドレンパン部分の断面図である。
【図４】同構造の要部である抗菌部材の拡大正面図である。
【図５】同抗菌部材の平面図である。
【図６】同抗菌部材の内部の構造を示す拡大縦断面図である。
【図７】同抗菌部材の作用効果を、その初期状態（ａ）と１０年後の状態（ｂ）とに分けて、その間の変化を対比して示す説明用の断面図である。
【図８】同抗菌部材の作用の特徴を示すグラフである。
【図９】同抗菌部材の変形例１の構成を示す平面図である。
【図１０】同変形例１の抗菌部材の内部の構造を示す拡大水平断面図である。
【図１１】同変形例１の他の構成例を示す拡大水平断面図である。
【図１２】同抗菌部材の変形例２の構成例を示す平面図である。
【図１３】同変形例２の抗菌部材の構成を示す平面図である。
【図１４】同変形例２の抗菌部材の縦断面構造を示す拡大断面図である。
【図１５】本願発明の最良の実施の形態２に係る空気調和機のドレン水静菌構造を示すドレンパン部分の断面図である。
【図１６】同構造の要部の拡大正面図である。
【図１７】本願発明の最良の実施の形態３に係る空気調和機のドレン水静菌構造を示すドレンパン部分の断面図である。
【図１８】同構造の要部の拡大平面図である。
【図１９】本願発明の最良の実施の形態４に係る空気調和機のドレン水静菌構造を示すドレンパン部分の断面図である。
【図２０】同構造の要部の拡大平面図である。
【図２１】本願発明の最良の実施の形態５に係る空気調和機のドレン水静菌構造を示すドレンパン部分の断面図である。
【図２２】同構造の要部の拡大平面図である。
【図２３】従来の発明の実施の形態に係る空気調和機のドレン水静菌構造を示すドレンパン部分の断面図である。
【図２４】同構造における抗菌作用の問題点を示すグラフである。
【符号の説明】
【００９９】
１は空気調和機、４は熱交換器、８はドレンパン、８ａ，８ｂは側壁、４１はプレートフィン、４２は伝熱管、５０は抗菌剤、５０Ａは容器本体、５０Ｂは抗菌剤、８１は第１の溝部、８２は第２の溝部である。
【図１】
2006170478.tif 000003
【図２】
2006170478.tif 000004
【図３】
2006170478.tif 000005
【図４】
2006170478.tif 000006
【図５】
2006170478.tif 000007
【図６】
2006170478.tif 000008
【図７】
2006170478.tif 000009
【図８】
2006170478.tif 000010
【図９】
2006170478.tif 000011
【図１０】
2006170478.tif 000012
【図１１】
2006170478.tif 000013
【図１２】
2006170478.tif 000014
【図１３】
2006170478.tif 000015
【図１４】
2006170478.tif 000016
【図１５】
2006170478.tif 000017
【図１６】
2006170478.tif 000018
【図１７】
2006170478.tif 000019
【図１８】
2006170478.tif 000020
【図１９】
2006170478.tif 000021
【図２０】
2006170478.tif 000022
【図２１】
2006170478.tif 000023
【図２２】
2006170478.tif 000024
【図２３】
2006170478.tif 000025
【図２４】
2006170478.tif 000026